(57)【要約】【課題】設置時に妨げとなることがなく、持ち運びの際の持ちやすさや安全性が確保された電子機器を提供する。【解決手段】電子機器（ミキサ装置１００）は、上面板３１と、下面板４１と、上面板３１と下面板４１とを接続する側面板５１，６１，７１とを備える筐体２０を有し、下面板４１に、その下面板４１の周縁部４２の少なくとも一部に沿って開口する指掛け凹部１０Ａが設けられる。また、指掛け凹部１０Ａには、切り込みによって囲まれた部分をその切り込みの両端間を結ぶ線上で屈曲して立ち上げてなる切り起し部４３が周縁部４２から連続して形成される。【選択図】      図９
2016092372.tif 000002
【特許請求の範囲】
【請求項１】
上面板と、下面板と、前記上面板と前記下面板とを接続する側面板とを備える筐体を有し、
前記下面板に、該下面板の周縁部の少なくとも一部に沿って開口する指掛け凹部が設けられる電子機器。
【請求項２】
前記指掛け凹部には、
切り込みによって囲まれた部分を該切り込みの両端間を結ぶ線上で屈曲して立ち上げてなる切り起し部が前記周縁部から連続して形成される請求項１に記載の電子機器。
【請求項３】
前記側面板には、その下端部を内側に折り返すことにより、前記下面板の前記周縁部を覆って前記指掛け凹部内に入り込む被覆部が形成される請求項２に記載の電子機器。
【請求項４】
前記筐体は、
前記下面板に取り付けられて前記指掛け凹部の内面の一部を形成する封止板を有し、
前記封止板は、
前記切り起し部と対向する内側面部と、該内側面部と前記切り起し部との間を接続する端面部とを有する請求項２又は３に記載の電子機器。
【発明の詳細な説明】
【技術分野】
【０００１】
本発明は、ミキサ装置やレコーダ装置等に使用される音響調整卓等の電子機器に関する。
【背景技術】
【０００２】
卓上で使用される例えば音響調整卓、照明調整卓、動画編集卓等の電子機器は、一般に、外部からの電界や磁界シールドのために筐体を構成するハウジングが金属板によって構成され、比較的重量が大きい。このため、このように重量が大きい電子機器の中には、持ち運ぶ際に安全に持ち上げることができるように、また、運び易くするために、手を掛ける部分が設けられる。
【０００３】
例えば、非特許文献１に記載のデジタルミキサ装置は、入力する音響信号に対し、ミキシング、イコライジング、レベル調整等の種々の信号処理を行って出力するものであるが、信号を入力する入力チャンネルや信号を出力する出力チャンネルの数の増加等により必要な操作子の数が増加しており、筐体が大型化する傾向を招いている。また、筐体の大型化に伴って重量が増加し、持ち運びや設置が一層困難なものになっている。
この点、非特許文献１に記載のデジタルミキサ装置では、筐体の両側部に、上面側に対して下面側を窪ませた段差部を設けており、この段差部に手を掛けて持ち上げることができるようになっている。
【先行技術文献】
【非特許文献】
【０００４】
【非特許文献１】ヤマハ株式会社  デジタルミキシングコンソールＰＭ１Ｄ、インターネット＜ＵＲＬ：http://www.yamaha.co.jp/design/products/2000/pm1d/＞
【発明の概要】
【発明が解決しようとする課題】
【０００５】
ところで、デジタルミキサ装置のような音響機器は、複数台を並べて使用される。ところが、非特許文献１に記載のデジタルミキサ装置のように、筐体の両側部に段差部を設けた意匠を形成する場合には、筐体の両側部にその段差部の形状を確保する必要があるため、外観が損なわれる。また、筐体の両側部に段差部が出っ張って配置されるため、複数台の電子機器の側部どうしを隣り合わせに配置する際に邪魔になる。したがって、これらの電子機器を隙間なく配置することが難しくなり、設置スペースを確保することも難しくなる。
【０００６】
本発明は、このような事情に鑑みてなされたものであり、設置時に妨げとなることがなく、持ち運びの際の持ちやすさや安全性が確保された電子機器を提供することを目的とする。
【課題を解決するための手段】
【０００７】
本発明の電子機器は、上面板と、下面板と、前記上面板と前記下面板とを接続する側面板とを備える筐体を有し、前記下面板に、該下面板の周縁部の少なくとも一部に沿って開口する指掛け凹部が設けられる。
【０００８】
使用者は、電子機器を持ち上げる際に、筐体の下面板の指掛け凹部に指先を入れることが可能であり、筐体の下面板の周縁部をつかむことが可能となっている。したがって、重量の大きい電子機器であっても、容易に持ち上げることができ、安全に電子機器を持ち運ぶことができる。
また、筐体の下面板に指掛け凹部を設けていることから、筐体の側面に指掛け部を形成するための形状を必要とせず、電子機器の外観を損なうことや設置時の妨げになることがないので、種々の意匠形状を採用することができるとともに、複数台の電子機器を隙間なく配置することができる。
【０００９】
本発明の電子機器において、前記指掛け凹部には、切り込みによって囲まれた部分を該切り込みの両端間を結ぶ線上で屈曲して立ち上げてなる切り起し部が前記周縁部から連続して形成される。
【００１０】
指掛け凹部に下面板の周縁部から連続する切り起し部を形成していることから、指掛け凹部の周縁部側に切り込みの切断面が形成されることがなく、下面板の周縁部と切り起し部とが連続した角形状に形成される。このため、使用者が指掛け凹部に指先を挿入して、筐体の下面板の周縁部をつかむ際に、切り込みの切断面で指先を傷つけることがなく、電子機器を安全に持ち運ぶことができる。
また、広い面積の下面板に切り込みを形成しているが、その切り込みによって囲まれた部分を曲げ加工することにより切り起し部を形成しているので、その加工部分の剛性を高めることができ、筐体の強度を確保することができる。
【００１１】
本発明の電気機器において、前記側面板には、その下端部を内側に折り返すことにより、前記下面板の前記周縁部を覆って前記指掛け凹部内に入り込む被覆部が形成される。
【００１２】
筐体を持ち上げる際に、使用者の手が触れる下面板の周縁部を、側面板の被覆部で覆うことにより、使用者が指掛け凹部に指先を挿入して、筐体の下面板の周縁部をつかむ際に、指先だけでなく指先から手のひらにかけても傷つけられることを防止できる。
また、側面板の下端部に、曲げ加工により被覆部を形成することで、その加工部分の剛性を高めることができる。そして、側面板の被覆部と下面板の周縁部とを重ねて配置することから、さらに筐体の剛性を高めることができる。
【００１３】
本発明の電気機器において、前記筐体は、前記下面板に取り付けられて前記指掛け凹部の内面の一部を形成する封止板を有し、前記封止板は、前記切り起し部と対向する内側面部と、該内側面部と前記切り起し部との間を接続する端面部とを有する。
【００１４】
封止板を用いて指掛け凹部の内面の一部を形成し、指掛け凹部に設けられる隙間を塞ぐことで、筐体の内部と外部との間で電磁ノイズを遮蔽することができるので、隣接して配置される他の電子機器に与える電磁ノイズの影響を大幅に低減することができる。
【発明の効果】
【００１５】
本発明によれば、筐体の下面板に指掛け凹部を形成することにより、指掛け凹部が電子機器の設置時に妨げとなることがなく、また、電子機器を持ち運ぶ際の持ちやすさや安全性を確保することができる。
【図面の簡単な説明】
【００１６】
【図１】本発明の第１実施形態に係るミキサ装置の斜視図である。
【図２】図１に示すミキサ装置の上面図である。
【図３】図１に示すミキサ装置の下面図である。
【図４】図２のＡ‐Ａ線に沿う端面図である。
【図５】図２のＢ‐Ｂ線に沿う端面図である。
【図６】図１に示すミキサ装置の指掛け凹部を構成する部分のみを表示した斜視図である。
【図７】指掛け凹部の要部拡大図である。
【図８】指掛け凹部を構成する各部品を分離して配置した分解斜視図である。
【図９】指掛け凹部の構造を説明する要部端面図であり、（ａ）が分解図、（ｂ）組図である。
【図１０】本発明の第２実施形態に係るミキサ装置の指掛け凹部の構造を説明する要部端面図であり、（ａ）が分解図、（ｂ）が組図である。
【発明を実施するための形態】
【００１７】
以下、本発明の実施形態を図面を参照して説明する。
図１〜図５は、本発明の実施形態に係る電子機器を示す図であり、いわゆるミキサ装置として構成されるものである。以下、このミキサ装置１００を例に説明を行う。
ミキサ装置１００は、図１に示すように、筐体２０の上面の操作面１１に複数の操作子１２やディスプレイ１３を備え、筐体２０の後面に複数の入出力端子１４を備える。図示は省略するが、入出力端子１４にオーディオケーブル等を着脱自在に接続し、当該オーディオケーブル等を介して他の電子音響機器に接続された状態で使用される。なお、操作子１２は、概ね操作面１１の全面に設けられるが、図面では一部のみ記載し、省略した。
【００１８】
ミキサ装置１００は、卓面上等に置いて使用されるものであり、ミキサ装置１００の上下方向は卓面上等に設置した使用時におけるものとする。ミキサ装置１００の使用時においては、ミキサ装置１００の操作面１１の前方側（図２の下側）にオペレータ（使用者）が位置する。したがって、以降、特に断らないときは、操作面１１の前方をミキサ装置１００の前側、操作面１１の後方側（図２の上側）をミキサ装置１００の後側とする。
【００１９】
また、ミキサ装置１００は、前側よりも後側が厚く設けられており、使用者にとって操作し易いように、使用時においては、ディスプレイ１３が前側に向かって下方に傾斜して配置される。また、操作面１１には、筐体２０の内部に配設された回路基板に搭載された各種操作子１２を露出させるための複数の端子用孔部が形成される。
【００２０】
そして、ミキサ装置１００の筐体２０は、上面部を構成する上面板３１と、下面部を構成する下面板４１（図３参照）と、左右の側面部を構成する一組の側面板５１と、前面部を構成する前面板６１と、後面部を構成する後面板７１とを備え、内部に空間を形成した箱状に構成される。なお、ここでいう側面板５１、前面板６１及び後面板７１が、本発明でいう側面板とされるものである。
筐体２０を構成するこれら上面板３１、下面板４１、側面板５１、前面板６１及び後面板７１は、金属板を折り曲げ加工して形成され、それぞれの部材がネジ止め固定されるようになっている。なお、下面板４１は、鉄板と同程度の強度を有する金属板により形成することが望ましい。
また、図１〜図４では、ミキサ装置１００の意匠性を高めるために筐体２０の左右の側面部に側部カバー９１が取り付けられたものを例示するが、側部カバー９１は適宜省略してよい。
【００２１】
そして、筐体２０の下面板４１には、その下面板４１の周縁部に沿って開口する指掛け凹部１０Ａが複数設けられる。具体的には、図３〜図５に示すように、下面板４１の周縁部、すなわち前縁部、左右の側縁部、後縁部に沿って、複数の溝状の指掛け凹部１０Ａが設けられる。なお、指掛け凹部１０Ａは、使用者がミキサ装置１００を持ち上げる際に、指先を挿入可能にするものであり、少なくとも使用者が指先を掛けることができる程度の深さで形成することが望ましい。ここでは、指掛け凹部１０Ａは、指の第１関節をしっかりと掛けることができる程度の深さに設けられる。
【００２２】
次に、指掛け凹部１０Ａの構造について、図６〜図９に示す左側の側縁部に設けられる指掛け凹部１０Ａを用いて、詳細を説明する。
この左側の側縁部に設けられる指掛け凹部１０Ａは、図６〜図９に示すように、側面板５１と、下面板４１と、封止板８１とを順に重ねて配置することにより構成される。
【００２３】
下面板４１には、切り込みによって囲まれた部分を、その切り込みの両端間を結ぶ線上で屈曲して立ち上げてなる切り起し部４３（図８参照）が、周縁部４２から連続して形成され、この切り起し部４３を形成することにより、開口部４４が形成される。なお、下面板４１の周縁部４２には、下面板４１の端部を屈曲して立ち上げた帯板状の取付部４５が設けられており（図８には取付部４５の大部分が周縁部４３に隠れており、両端部のみ現れている。）、この取付部４５が図９に示すように側面板５１の内面に当接して配置され、側面板５１と取付部４５とがネジ止め固定されるようになっている。
【００２４】
また、側面板５１には、その下端部を内側に折り返すことにより、下面板４１の周縁部４２を覆って指掛け凹部１０Ａ（開口部４４）内に入り込む凹状の被覆部５２が形成され、さらに被覆部５２の先端側には、内側に折り曲げられた天面部５３が形成される。
そして、この被覆部５２に下面板４１の周縁部４２を挿入して側面板５１と下面板４１とを重ねて配置した際に、図９（ｂ）に示すように、被覆部５２が下面板４１の周縁部４２から切り起し部４３にかけてこれらの表面を覆って配置され、被覆部５２により指掛け凹部１０Ａの外側の側面が形成されるとともに、天面部５３により指掛け凹部１０Ａの天面が形成される。
【００２５】
また、封止板８１は、図８及び図９に示すように、下面板４１の周縁部４２側と開口部４４側との二面を開口した箱状に形成され、下面板４１の内面に重ねてネジ止め固定される重ね部８２と、切り起し部４３と対向して配置され指掛け凹部１０Ａの内側の側面を形成する対面部８３と、この対面部８３の３つの端辺から切り起し部４３の３つの端辺に向けて立設される３面の端面部８４とを有する。そして、この封止板８１を下面板４１の内面に重ねて配置することにより、端面部８４によって対面部８３と切り起し部４３との間が接続され、下面板４１に開口する指掛け凹部１０Ａが形成される。
【００２６】
このように、本実施形態のミキサ装置１００では、筐体２０の下面板４１に指掛け凹部１０Ａを設け、使用者がミキサ装置１００を持ち上げる際に指掛け凹部１０Ａに指先を入れることを可能とし、さらに指掛け凹部１０Ａに指先を挿入した際に、筐体２０の下面板４１の周縁部４２をつかむことを可能としている。したがって、重量の大きいミキサ装置１００であっても、容易に持ち上げることができるので、安全に持ち運ぶことができる。
また、筐体２０の下面板４１に指掛け凹部１０Ａを設けていることから、筐体２０の側面に指掛け部を形成するための形状を必要とせず、ミキサ装置１００の外観を損なうことや設置時の妨げになることがないので、種々の意匠形状を採用することができるとともに、複数台の電子機器を隙間なく配置することができる。
【００２７】
また、指掛け凹部１０Ａに、下面板４１の周縁部４２から連続する切り起し部４３を形成していることから、指掛け凹部１０Ａの周縁部４２側に切り込みの切断面が形成されることがなく、下面板４１の周縁部４２と切り起し部４３とが連続した角形状が形成される。このため、使用者が指掛け凹部１０Ａに指先を挿入して、筐体２０の下面板４１の周縁部４２をつかむ際に、切り込みの切断面で指先を傷つけることがなく、ミキサ装置１００を安全に持ち運ぶことができる。
さらに、本実施形態のミキサ装置１００においては、筐体２０を持ち上げる際に、使用者の手が触れる下面板４１の周縁部４２を、側面板５１の被覆部５２で覆うこととしている。したがって、使用者が指掛け凹部１０Ａに指先を挿入して下面板４１の周縁部４２をつかむ際に、指先だけでなく指先から手のひらにかけても傷つけられることを防止できる。
【００２８】
また、広い面積の下面板４１に切り込みを形成しているが、その切り込みによって囲まれた部分を曲げ加工することにより切り起し部４３を形成しているので、その加工部分の剛性を高めることができ、筐体２０の強度を確保することができる。
さらに、側面板５１の下端部に、曲げ加工により被覆部５２を形成することで、その加工部分の剛性を高めることができる。そして、側面板５１の被覆部５２と下面板４１の周縁部４２とを重ねて配置することから、さらに筐体２０の剛性を高めることができる。
【００２９】
また、封止板８１を用いて指掛け凹部１０Ａの内面の一部を形成し、指掛け凹部１０Ａに設けられる隙間を塞ぐことで、筐体２０の内部と外部との間で電磁ノイズを遮蔽することができるので、ミキサ装置１００に隣接して配置される他の電子機器に与える電磁ノイズの影響を大幅に低減することができる。
【００３０】
図１０は、本発明の第２実施形態のミキサ装置の要部端面図である。この第２実施形態において、筐体の上面板等の構成要素は第１実施形態と同じものが用いられることから説明を省略するとともに、図１０において、第１実施形態と共通要素には同一符号を付して説明を簡略化する。
【００３１】
第２実施形態のミキサ装置においては、指掛け凹部１０Ｂは、図１０に示すように、下面板４１と封止板８１とを重ねて配置することにより構成される。
下面板４１には、第１実施形態と同様に、切り込みによって囲まれた部分を、その切り込みの両端間を結ぶ線上で屈曲して立ち上げてなる切り起し部４３が、周縁部４２から連続して形成されており、この切り起し部４３を形成することにより、開口部４４が形成される。また、下面板４１の周縁部４２には、下面板４１の端部を屈曲して立ち上げた帯板状の取付部４５が設けられており、この取付部４５が側面板５１の内面に当接して配置され、側面板５１と取付部４５とがネジ止め固定されるようになっている。
【００３２】
封止板８１は、下面板４１の開口部４４側の一面のみを開口した箱状に形成される。また、封止板８１は、下面板４１の内面に重ねてネジ止め固定される重ね部８２と、切り起し部４３と対向して配置され指掛け凹部１０Ｂの内側の側面を形成する対面部８３と、この対面部８３の３つの端辺から切り起し部４３の３つの端辺に向けて立設される３面の端面部８４と、この端面部８４を介して接続され切り起し部４３と取付部４５との間に配置される挿入部８５とを有する。そして、この封止板８１は、下面板４１の開口部４４に被せて配置した際に、対面部８３により指掛け凹部１０Ｂの内側の側面が形成され、端面部８４により指掛け凹部１０Ｂの天面及び端面が形成されるとともに対面部８３と切り起し部４３との間が接続され、下面板４１に開口する指掛け凹部１０Ｂが形成される。
【００３３】
このように、第１実施形態のミキサ装置１００が側面板５１と、下面板４１と、封止板８１とにより指掛け凹部１０Ａを構成するものであるのに対し、第２実施形態のミキサ装置では、下面板４１と封止板８１とにより指掛け凹部１０Ｂを構成することができる。
そして、第２実施形態のミキサ装置においても、下面板４１の周縁部４２から連続する切り起し部４３を形成することにより指掛け凹部１０Ｂの開口部４４を形成していることから、指掛け凹部１０Ｂの周縁部４２側に切り込みの切断面が形成されることがなく、下面板４１の周縁部４２と切り起し部４３とが連続した角形状に形成される。このため、使用者が指掛け凹部１０Ｂに指先を挿入して、筐体の下面板４１の周縁部４２をつかむ際に、切り込みの切断面で指先を傷つけることがなく、ミキサ装置を安全に持ち運ぶことができる。
【００３４】
なお、本発明は、上記実施形態に限定されるものではなく、本発明の趣旨を逸脱しない範囲において種々の変更を加えることが可能である。
例えば、図１〜図５に示すミキサ装置１００では、上面板３１、下面板４１、側面板５１、前面部６１及び後面部７１を組み合わせて筐体２０を構成しているが、各部材をさらに細分化した部材により構成してもよいし、逆に、複数の部材を集約した部材により構成してもよい。
【００３５】
また、図１〜図５に示すミキサ装置１００では、筐体２０の下面板４１に、下面板４１の周縁部４２、すなわち前縁部、左右の側縁部、後縁部に沿って、複数の溝状の指掛け凹部１０Ａを設けていた（図３参照）が、指掛け凹部は、下面板の周縁部を構成する前縁部り後縁部、もしくは左右の側縁部等の少なくとも対向する一組の縁部（端辺）に沿って一組設けておけばよく、この場合には、筐体の対向する周縁部をつかんで安定して持ち運ぶことができる。また、指掛け凹部の長さは、下面板の各端辺の大半を占める長さに設ける必要はなく、少なくとも使用者が指先を入れることができる程度の長さであればよい。したがって、下面板の周縁部に沿って一つの長い指掛け凹部を設けることも可能であるし、短い指掛け凹部を分散させて複数並べることにしてもよい。
【００３６】
また、指掛け凹部を構成する切り起し部の屈曲角度は、図９（ｂ）及び図１０（ｂ）に示すように、直角（９０°）に限定されるものではなく、その他の角度により構成することができる。
【符号の説明】
【００３７】
１０Ａ，１０Ｂ…指掛け凹部、１１…操作面、１２…操作子、１３…ディスプレイ、１４…入出力端子、２０…筐体、３１…上面板、４１…下面板、４２…周縁部、４３…切り起し部、４４…開口部、４５…取付部、５１，６１，７１…側面板、５２…被覆部、５３…天面部、８１…封止板、８２…重ね部、８３…対面部、８４…端面部、８５…挿入部、９１…側部カバー、１００…ミキサ装置（電子機器）
【図１】
2016092372.tif 000003
【図２】
2016092372.tif 000004
【図３】
2016092372.tif 000005
【図４】
2016092372.tif 000006
【図５】
2016092372.tif 000007
【図６】
2016092372.tif 000008
【図７】
2016092372.tif 000009
【図８】
2016092372.tif 000010
【図９】
2016092372.tif 000011
【図１０】
2016092372.tif 000012